(57)【要約】【課題】移動端末に機能を追加することなく、構内網内で通信端末から移動端末へパケットを高速に送信すること。【解決手段】屋内基地局１４は、ＬＡＮ１１内のＰＣ１７とデータ通信を行うためにＬＡＮ１１から通信エリア１６内の移動端末１５に割り当てられるＬＡＮ用アドレスを取得する。また、屋内基地局１４は、移動体通信網１２とデータ通信を行うために移動体通信網１２から移動端末１５に割り当てられる移動網用アドレスを取得する。また、屋内基地局１４は、構内網用アドレスと移動網用アドレスとを対応付けて記憶する。屋内基地局１４は、ＰＣ１７からＬＡＮ用アドレスを宛先とするデータを受信する。屋内基地局１４は、受信したデータの宛先を、ＬＡＮ用アドレスと対応付けて記憶された移動網用アドレスに変換し、宛先を変換したデータを移動端末１５へ送信する。【選択図】図１
2010016676.tif 000002
【特許請求の範囲】
【請求項１】
自装置を含む構内網を介して移動体通信網と通信可能な通信エリアを形成する基地局において、
前記構内網内の通信端末とデータ通信を行うために前記構内網から前記通信エリア内の移動端末に割り当てられる構内網用アドレスを取得する第１取得手段と、
前記移動体通信網とデータ通信を行うために前記移動体通信網から前記移動端末に割り当てられる移動網用アドレスを取得する第２取得手段と、
前記第１取得手段によって取得された構内網用アドレスと、前記第２取得手段によって取得された移動網用アドレスと、を対応付けて記憶する記憶手段と、
前記通信端末から前記構内網用アドレスを宛先とするデータを受信する受信手段と、
前記受信手段によって受信されたデータの宛先を、前記記憶手段において前記構内網用アドレスと対応付けて記憶された移動網用アドレスに変換する変換手段と、
前記変換手段によって宛先が変換されたデータを前記移動端末へ送信する送信手段と、
を備えることを特徴とする基地局。
【請求項２】
前記受信手段によって前記データが受信された場合に、前記移動端末の通信モードをデータ受信可能な通信モードに遷移させる管理手段を備え、
前記送信手段は、前記管理手段によって通信モードが遷移した前記移動端末へデータを送信することを特徴とする請求項１に記載の基地局。
【請求項３】
前記第２取得手段は、前記移動体通信網において前記移動端末の位置登録が行われたときに前記移動網用アドレスを取得することを特徴とする請求項１または２に記載の基地局。
【請求項４】
前記記憶手段は、前記移動端末が前記通信エリアから離脱するまで、前記構内網用アドレスおよび前記移動網用アドレスを記憶していることを特徴とする請求項１〜３のいずれか一つに記載の基地局。
【請求項５】
自装置を含む構内網を介して移動体通信網と通信可能な通信エリアを形成する基地局によるデータ転送方法において、
前記構内網内の通信端末とデータ通信を行うために前記構内網から前記通信エリア内の移動端末に割り当てられる構内網用アドレスを取得する第１取得工程と、
前記移動体通信網とデータ通信を行うために前記移動体通信網から前記移動端末に割り当てられる移動網用アドレスを取得する第２取得工程と、
前記第１取得工程によって取得された構内網用アドレスと、前記第２取得工程によって取得された移動網用アドレスと、を対応付けて記憶する記憶工程と、
前記通信端末から前記構内網用アドレスを宛先とするデータを受信する受信工程と、
前記受信工程によって受信されたデータの宛先を、前記記憶工程において前記構内網用アドレスと対応付けて記憶された移動網用アドレスに変換する変換工程と、
前記変換工程によって宛先が変換されたデータを前記移動端末へ送信する送信工程と、
を含むことを特徴とするデータ転送方法。
【発明の詳細な説明】
【技術分野】
【０００１】
この発明は、無線通信を行う基地局およびデータ転送方法に関する。
【背景技術】
【０００２】
近年、フェムトセルと呼ばれる小型基地局による携帯電話サービスエリアの提供が考えられている。このフェムトセルは、一般に、携帯電話事業者に設置されたフェムトセル用のゲートウェイ（ＦＧＷ：Ｆｅｍｔｏｃｅｌｌ  ＧａｔｅＷａｙ）とフェムトセル用の小型基地局（ｆｅｍｔｏＡＰ：ｆｅｍｔｏｃｅｌｌ  Ａｃｃｅｓｓ  Ｐｏｉｎｔ）とを、ＡＤＳＬやＦＴＴＨなどのＩＰブロードバンド回線を用いて接続する。
【０００３】
フェムトセルサービスにおいては、マクロセルよりも良好な電波受信環境の提供と、それに伴う高速データ通信環境の提供、あるいは周波数の特定ユーザの独占を許容することによる周波数利用効率の向上などの効果とともに、携帯電話事業者によるさらなる低額の定額制サービスの提供など、様々なサービスの提供が検討されている。
【０００４】
ブロードバンド回線が敷設されている環境であれば、ｆｅｍｔｏＡＰを接続するだけで容易にこのフェムトセルサービスを享受することが可能となる。また、ｆｅｍｔｏＡＰはサービスを享受するユーザ宅内に設置される。このため、携帯電話事業者の管理制限を緩和し、ユーザが自由に場所の移動や電源ＯＮ／ＯＦＦができるように、携帯電話事業における規制が緩和されると予想されている。
【０００５】
このフェムトセルサービスは、上記のような利点に伴うサービスの提供の他に、情報端末と家電との通信連携を実現する可能性を持っている。たとえば、通常、ＰＣ（Ｐｅｒｓｏｎａｌ  Ｃｏｍｐｕｔｅｒ）と携帯電話との通信は、メモリーカードや専用の通信ケーブルとソフトウェアを媒体として実現されている。しかし、ユーザにとっては、メモリーカードや通信ケーブルを抜き差ししたりする操作は非常に面倒である。
【０００６】
近年の通信のブロードバンド化と、取り扱うコンテンツ種別やコンテンツサイズの増加に伴い、たとえばインターネット上から携帯電話にデータを直接ダウンロードすると、携帯電話のメモリを圧迫し、格納しきれなくなる。さらに携帯電話と携帯音楽プレーヤーとの融合により、携帯電話の音楽プレーヤー化が進んでいるため、有料でダウンロードした音楽ファイルは保存しておきたいという需要がある。
【０００７】
携帯電話は平均すると２年程度での買い替えが行われているが、携帯電話にダウンロードしたファイルを新規購入の携帯電話に転送するためには、古い携帯電話のファイルを自宅のＰＣに格納しなければならず、その後新規に購入した携帯電話に転送したいという需要がある。このため、携帯電話とＰＣとの通信をより簡易にすることが要求されている（たとえば、下記特許文献１参照。）。
【０００８】
携帯電話とＰＣとの通信の一般的な手法としては、ＷｉＦｉ（無線ＬＡＮ）が考えられ、事実ＷｉＦｉを搭載した３ＧＰＰ方式の移動端末も存在するが、このデュアル端末は消費電力問題や価格問題がある。フェムトセルは、これを解決するものとして、サポートする無線方式が移動通信の無線方式（たとえば３ＧＰＰ）のみである。
【０００９】
【特許文献１】特開２００７−２８２２５５号公報
【発明の開示】
【発明が解決しようとする課題】
【００１０】
しかしながら、フェムトセルサービスでは、移動体通信網と移動端末との家庭内における通信を、家庭内に設置したｆｅｍｔｏＡＰを介することで実現することを想定しており、家庭内におけるＰＣと移動端末との通信は基本的には想定していない。このため、家庭内でＰＣから移動端末へパケットを送信することが困難であるという問題がある。
【００１１】
この問題について具体的に説明する。通常のフェムトセルサービスでは、移動端末に対してデータ通信要求を行うたびに、移動体通信網から移動端末に移動網用アドレスを払い出す。このため、家庭内でＰＣから移動端末へパケットを送信しようとしても、そのときに移動端末に割り当てられている移動網用アドレスをＰＣ側で取得できない。
【００１２】
仮に移動端末に割り当てられた移動網用アドレスをＰＣが取得したとしても、ＰＣが移動網用アドレスを宛先としてパケットを送信すると、送信されたパケットは移動体通信網を経由して移動端末へ到達する。これは、たとえば３ＧＰＰにおいて、ｆｅｍｔｏＡＰと移動体通信網との間にトンネルが生成され、ｆｅｍｔｏＡＰと移動端末の間に通信経路が形成されるためである。このため、移動体通信網の通信リソースを圧迫してしまうとともに、ＰＣから移動端末までのパケットの伝送時間が長くなってしまう。
【００１３】
開示の基地局およびデータ転送方法は、上述した問題点を解消するものであり、構内網内で通信端末から移動端末へパケットを高速に送信することを目的とする。
【課題を解決するための手段】
【００１４】
上述した課題を解決し、目的を達成するため、この基地局は、自装置を含む構内網を介して移動体通信網と通信可能な通信エリアを形成する基地局において、前記構内網内の通信端末とデータ通信を行うために前記構内網から前記通信エリア内の移動端末に割り当てられる構内網用アドレスを取得する第１取得手段と、前記移動体通信網とデータ通信を行うために前記移動体通信網から前記移動端末に割り当てられる移動網用アドレスを取得する第２取得手段と、前記第１取得手段によって取得された構内網用アドレスと、前記第２取得手段によって取得された移動網用アドレスと、を対応付けて記憶する記憶手段と、前記通信端末から前記構内網用アドレスを宛先とするデータを受信する受信手段と、前記受信手段によって受信されたデータの宛先を、前記記憶手段において前記構内網用アドレスと対応付けて記憶された移動網用アドレスに変換する変換手段と、前記変換手段によって宛先が変換されたデータを前記移動端末へ送信する送信手段と、を備えることを要件とする。
【００１５】
上記構成によれば、通信端末は、構内網内で通知される構内網用アドレスを宛先として移動端末へのパケットを送信することができる。一方、移動端末は、移動網用アドレスを用いて通信端末からのパケットを受信することができる。また、移動端末と直接通信を行う基地局においてデータの宛先を構内網用アドレスから移動網用アドレスに変換することで、移動網用アドレスを宛先とするデータを、移動体通信網を経由させることなく直接移動端末へ送信することができる。
【発明の効果】
【００１６】
開示の基地局およびデータ転送方法によれば、移動端末に機能を追加することなく、構内網内で通信端末から移動端末へパケットを高速に送信することができるという効果を奏する。
【発明を実施するための最良の形態】
【００１７】
以下に添付図面を参照して、この基地局およびデータ転送方法の好適な実施の形態を詳細に説明する。
【００１８】
（実施の形態）
図１は、実施の形態にかかる通信システムの概要を示すブロック図である。図１に示すように、実施の形態にかかる通信システム１０は、ＬＡＮ１１と、移動体通信網１２と、を含んでいる。ＬＡＮ１１（Ｌｏｃａｌ  Ａｒｅａ  Ｎｅｔｗｏｒｋ：構内網）には、ＢＢルータ１３と、屋内基地局１４と、移動端末１５と、ＰＣ１７と、が含まれている。移動体通信網１２には通信装置１８が含まれている。
【００１９】
通信装置１８は、ＬＡＮ１１のＢＢルータ１３と接続されている。通信装置１８は、フェムトセル用のゲートウェイ（ＦＧＷ）であり、移動体通信網１２におけるデータ通信を管理する機能を有している。具体的には、通信装置１８は、移動体通信網１２におけるデータ通信で用いる移動網用アドレスの払出などを行う機能を有している。
【００２０】
ＢＢルータ１３は、ＬＡＮ１１の外部の移動体通信網１２と接続されている。また、ＢＢルータ１３には、屋内基地局１４およびＰＣ１７が接続されている。ＢＢルータ１３と屋内基地局１４の接続およびＢＢルータ１３とＰＣ１７の接続のそれぞれは、Ｅｔｈｅｒｎｅｔ（登録商標）などの有線接続でもよいし、ＩＥＥＥ８０２．１１などの無線接続であってもよい。また、屋内基地局１４はＢＢルータ１３に内蔵されていてもよい。
【００２１】
屋内基地局１４は、フェムトセルのアクセスポイント（ｆｅｍｔｏＡＰ）である。屋内基地局１４は、自装置の周囲に電波を発することによって通信エリア１６（フェムトセル）を形成する。通信エリア１６内の移動端末１５は、ＬＡＮ１１を介して移動体通信網１２と通信可能になる。屋内基地局１４と移動端末１５は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）などの無線インターフェイスによって接続される。
【００２２】
移動端末１５は、屋内基地局１４の通信エリア１６に移動したときに位置登録を行う。具体的には、移動端末１５は、位置登録要求を屋内基地局１４へ送信する。移動端末１５から送信された位置登録要求は、屋内基地局１４およびＢＢルータ１３を経由して通信装置１８によって受信される。通信装置１８は、位置登録要求を受信すると、移動端末１５の位置登録を行うとともに、移動網用アドレスを払い出して移動端末１５へ送信する。
【００２３】
移動網用アドレスは、移動端末１５が移動体通信網１２との間でパケット通信を行うために移動端末１５に割り当てられるＩＰアドレスである。通信装置１８から送信された移動網用アドレスは、ＢＢルータ１３および屋内基地局１４を経由して移動端末１５によって受信される。移動端末１５は、受信した移動網用アドレスを自装置のＩＰアドレスとして用いることによって、移動体通信網１２との間でパケット通信を行う。
【００２４】
移動端末１５は、取得した移動網用アドレスを、基地局の圏外に移動するまで保持する。屋内基地局１４は、通信装置１８から払い出されて移動端末１５へ割り当てられる移動網用アドレスを取得する。たとえば、屋内基地局１４は、通信装置１８から移動端末１５へ送信される移動網用アドレスを中継するときに移動用アドレスを傍受して取得する。または、通信装置１８が、移動端末１５へ送信する移動網用アドレスを屋内基地局１４へも送信することで、屋内基地局１４が移動網用アドレスを取得するようにしてもよい。
【００２５】
また、屋内基地局１４は、移動端末１５がＬＡＮ１１内のＰＣ１７と通信を行うためのＬＡＮ用アドレス（構内網用アドレス）を取得する。たとえば、ＢＢルータ１３はＤＨＣＰ（Ｄｙｎａｍｉｃ  Ｈｏｓｔ  Ｃｏｎｆｉｇｕｒａｔｉｏｎ  Ｐｒｏｔｏｃｏｌ）の機能を有する。この場合は、屋内基地局１４は、ＢＢルータ１３からＬＡＮ用アドレスを取得する。屋内基地局１４は、通信装置１８から受信した移動網用アドレスと、ＢＢルータ１３から取得したＬＡＮ用アドレスと、を対応付けた変換テーブルを生成する。
【００２６】
ＰＣ１７は、通信機能を備える通信端末である。移動端末１５にＬＡＮ用アドレスが割り当てられると、移動端末１５に割り当てられたＬＡＮ用アドレスがＢＢルータ１３を介してＬＡＮ１１内に通知される。ＰＣ１７は、移動端末１５へ送信すべきＩＰパケット（データ）を、移動端末１５に割り当てられたＬＡＮ用アドレスを宛先として送信する。
【００２７】
ＰＣ１７から送信されたＩＰパケットは、ＢＢルータ１３を経由して屋内基地局１４によって受信される。屋内基地局１４は、受信したＩＰパケットの宛先を、生成した変換テーブルに基づいてＬＡＮ用アドレスから移動網用アドレスに変換する。屋内基地局１４は、宛先を移動網用アドレスに変換したＩＰパケットを移動端末１５へ送信する。移動端末１５は、屋内基地局１４から送信されたＩＰパケットを受信する。
【００２８】
このように、屋内基地局１４によって変換テーブルを生成しておき、ＬＡＮ用アドレスと移動網用アドレスの変換を行う。これにより、ＰＣ１７は、通信装置１８から移動端末１５に払い出された移動網用アドレスを取得しなくても、ＬＡＮ１１内で通知されるＬＡＮ用アドレスを宛先として移動端末１５へのＩＰパケットを送信することができる。
【００２９】
一方、移動端末１５は、ＬＡＮ１１に対応したデータ通信機能を備えていなくても、移動網用アドレスを用いて、フェムトセル方式でＰＣ１７からのＩＰパケットを受信することができる。このため、移動端末１５に機能を追加することなく、ＬＡＮ１１内でＰＣ１７から屋内基地局１４を経由して移動端末１５へＩＰパケットを送信することができる。
【００３０】
また、移動端末１５と直接通信を行う屋内基地局１４においてデータの宛先をＬＡＮ用アドレスから移動網用アドレスに変換することで、移動網用アドレスを宛先とするデータを、移動体通信網１２を経由させることなく直接移動端末１５へ送信することができる。このため、移動体通信網１２の通信資源を圧迫することなく、ＬＡＮ１１においてＰＣ１７から移動端末１５へデータを高速に転送することができる。
【００３１】
また、屋内基地局１４は、移動体通信網１２の通信装置１８において移動端末１５の位置登録が行われたときに移動網用アドレスを取得することで、移動端末１５がＬＡＮ１１内で通信可能になってからすぐに、ＰＣ１７から送信されたＩＰパケットを移動端末１５へ転送することができる。さらに、屋内基地局１４は、取得したＬＡＮ用アドレスおよび移動網用アドレスを、移動端末１５が通信エリア１６から離脱するまで記憶してもよい。
【００３２】
これにより、移動端末１５が通信エリア１６に進入してから離脱するまでの間、ＰＣ１７から送信されたＩＰパケットを移動端末１５へ転送することができる。または、移動端末１５が通信エリア１６から離脱した場合に、移動網用アドレスを保持せずに通信装置１８へ払い戻してもよい。これにより、移動体通信網１２において移動網用アドレスが不足することを回避することができる。
【００３３】
また、屋内基地局１４は、ＰＣ１７から送信されたＩＰパケットを受信した場合に、移動端末１５の通信モードをデータ受信可能な通信モードに遷移させるようにしてもよい。これにより、移動端末１５の通信モードが「待ち受け」や「省電力」であったとしても、ＰＣ１７から送信されたＩＰパケットを移動端末１５へ転送することができる。
【００３４】
なお、通信システム１０の基本構成については、３ＧＰＰ  ＴＲ  Ｒ３．０２０  Ｖ０．７．０（２００８−０５）のＦｉｇｕｒｅ  ６．１．２．１−３．Ｄｅｔａｉｌｅｄ  ３Ｇ  ＨＮＢ  Ｓｙｓｔｅｍ  Ａｒｃｈｉｔｅｃｔｕｒｅ．に記載された構成などを採用できる。このＦｉｇｕｒｅ  ６．１．２．１−３．において、ＵＥが移動端末１５であり、３Ｇ  ＨＮＢが屋内基地局１４であり、ＨＮＢ−ＧＷが通信装置１８である。
【００３５】
図２は、図１に示した屋内基地局の構成例を示すブロック図である。図２に示すように、屋内基地局１４は、ＬＡＮ通信部２１と、無線通信部２２と、アドレス管理部２３と、記憶部２４と、転送部２５と、端末状態管理部２６と、を備えている。ＬＡＮ通信部２１は、ＢＢルータ１３（図１参照）と接続されており、ＢＢルータ１３と通信を行う。
【００３６】
無線通信部２２は、周囲に電波を発することによって通信エリア１６（図１参照）を形成し、無線によって移動端末１５（図１参照）と通信を行う。アドレス管理部２３は、ＬＡＮ通信部２１を介してＢＢルータ１３からＬＡＮ用アドレスを取得する（第１取得手段）。また、アドレス管理部２３は、通信装置１８から送信され、ＢＢルータ１３を経由した移動網用アドレスを、ＬＡＮ通信部２１を介して取得する（第２取得手段）。
【００３７】
アドレス管理部２３は、取得したＬＡＮ用アドレスと移動網用アドレスを対応付けた変換テーブル２４ａを生成して記憶部２４に記憶する。また、アドレス管理部２３は、変換テーブル２４ａのＬＡＮ用アドレスを記憶した状態テーブル２４ｂを記憶部２４に記憶する。また、アドレス管理部２３は、移動端末１５が通信エリア１６から離脱して不要になった移動網用アドレスをＬＡＮ通信部２１を介して通信装置１８へ払い戻してもよい。
【００３８】
転送部２５は、移動端末１５から無線通信部２２を介して受信したＩＰパケットを、ＬＡＮ通信部２１を介してＢＢルータ１３へ送信する。また、転送部２５は、ＢＢルータ１３からＬＡＮ通信部２１を介して受信したＩＰパケットを、無線通信部２２を介して移動端末１５へ送信する。転送部２５はアドレス変換部２５ａを有する。アドレス変換部２５ａは、ＢＢルータ１３から受信したＩＰパケットの宛先が移動端末１５に割り当てられたＬＡＮ用アドレスである場合は、ＩＰパケットの宛先を移動網用アドレスに変換する。
【００３９】
具体的には、アドレス変換部２５ａは、ＩＰパケットのＬＡＮ用アドレスを、記憶部２４に記憶された変換テーブル２４ａにおいてそのＬＡＮ用アドレスに対応付けられた移動網用アドレスに変換する。この場合は、転送部２５は、アドレス変換部２５ａによってアドレスを移動網用アドレスに変換されたＩＰパケットを無線通信部２２へ出力する。
【００４０】
端末状態管理部２６は、通信エリア１６内の移動端末１５の情報を管理する。具体的には、端末状態管理部２６は、移動端末１５の通信エリア１６への進入を検出する。たとえば、無線通信部２２は、通信エリア１６に屋内基地局１４の識別情報を常に送信している。移動端末１５は、通信エリア１６に入ると屋内基地局１４の識別情報を受信する。
【００４１】
移動端末１５は、屋内基地局１４の識別情報を受信すると、位置登録要求などの信号を屋内基地局１４へ送信する。端末状態管理部２６は、移動端末１５からの信号を無線通信部２２を介して受信することで、移動端末１５の通信エリア１６への進入を検出する。また、端末状態管理部２６は、移動端末１５からの信号を受信しなくなると、移動端末１５の通信エリア１６からの離脱を検出する。
【００４２】
また、端末状態管理部２６は、通信エリア１６内の移動端末１５の通信モードを管理する。たとえば、移動端末１５は、自装置の通信モードを示す信号を屋内基地局１４へ送信する。端末状態管理部２６は、たとえば図示しないＲＲＣから送信された移動端末１５の通信モードを示す信号を、ＬＡＮ通信部２１を介して取得することで、移動端末１５の通信モードを識別する。
【００４３】
また、端末状態管理部２６は、無線通信部２２を介してページングを行うことで、移動端末１５の通信モードを遷移させる。または、端末状態管理部２６は、図示しないＲＲＣへ要求することで移動端末１５の通信モードを遷移させてもよい。端末状態管理部２６は、通信エリア１６内の移動端末１５に関する情報を、状態テーブル２４ｂにおいて移動端末１５のＬＡＮ用アドレスと対応付けて記憶部２４に記憶させる。
【００４４】
図３は、図２に示した変換テーブルの一例を示す図である。図３に示すように、記憶部２４に記憶された変換テーブル２４ａ（図２参照）においては、移動網用アドレス３１と、ＬＡＮ用アドレス３２と、が対応付けて記憶されている。転送部２５のアドレス変換部２５ａは、ＬＡＮ通信部２１から出力され、宛先がＬＡＮ用アドレス３２となっているＩＰパケットの宛先をＬＡＮ用アドレス３２に対応する移動網用アドレス３１に変換する。
【００４５】
なお、ここでは、移動端末１５のみに関する移動網用アドレス３１およびＬＡＮ用アドレス３２を変換テーブル２４ａに記憶する例について説明したが、移動端末１５以外の移動端末が通信エリア１６内にいる場合には、移動端末ごとに移動網用アドレス３１とＬＡＮ用アドレス３２の組み合わせを変換テーブル２４ａに記憶する。
【００４６】
図４は、図２に示した状態テーブルを示す図である。図４に示すように、記憶部２４に記憶された状態テーブル２４ｂ（図２参照）においては、移動端末１５に割り当てられたＬＡＮ用アドレス４１に対して、有効／無効フラグ４２および通信モードフラグ４３が対応付けて記憶されている。有効／無効フラグ４２は、移動端末１５に割り当てられたＬＡＮ用アドレス４１が有効であるか否かを示すフラグである。
【００４７】
端末状態管理部２６は、アドレス管理部２３が移動端末１５にＬＡＮ用アドレスを割り当てると、移動端末１５に割り当てられたＬＡＮ用アドレス４１に対応する有効／無効フラグ４２を「有効」に設定する。また、端末状態管理部２６は、移動端末１５が通信エリア１６から出たことを検出すると、移動端末１５に割り当てられたＬＡＮ用アドレス４１に対応する有効／無効フラグ４２を「無効」に設定する。
【００４８】
また、端末状態管理部２６は、検出した移動端末１５の通信モードを、ＬＡＮ用アドレス４１に対応する通信モードフラグ４３に記憶する。ここでは、通信モードは、「待ち受け」「省電力」「通常」の３つであるとする。「待ち受け」および「省電力」は、待機状態であり、そのままで無線通信部２２からデータ受信できない通信モードである。「通常」は、無線通信部２２からデータ受信可能な通信モードである。
【００４９】
図５は、図１に示した通信装置の構成例を示すブロック図である。図５に示すように、通信装置１８は、ＩＦ部５１と、位置登録処理部５２と、位置情報記憶部５３と、パケットサービス管理部５４と、アドレス払出部５５と、を備えている。ＩＦ部５１は、ＢＢルータ１３と接続されており、ＢＢルータ１３との間で通信を行う。
【００５０】
位置登録処理部５２は、屋内基地局１４からＢＢルータ１３経由で送信された位置登録要求を、ＩＦ部５１を介して受信し、受信した位置登録要求に従って移動端末１５の位置登録を行う。具体的には、位置登録処理部５２は、移動端末１５が通信エリア１６内にいる旨の情報を位置情報記憶部５３に記憶させる。また、位置登録処理部５２は、位置登録が完了すると、登録完了通知をパケットサービス管理部５４へ出力する。
【００５１】
パケットサービス管理部５４は、位置登録処理部５２から登録完了通知が出力されると、アドレス払出部５５を呼び出して、移動端末１５に割り当てるための移動網用アドレスを払い出させる。パケットサービス管理部５４は、アドレス払出部５５から取得した移動網用アドレスを、ＩＦ部５１を介して送信する。
【００５２】
パケットサービス管理部５４から送信された移動網用アドレスは、ＢＢルータ１３および屋内基地局１４を介して移動端末１５によって受信される。アドレス払出部５５は、パケットサービス管理部５４の呼び出しに従って、移動網用アドレスを払い出してパケットサービス管理部５４へ出力する。アドレス払出部５５は、たとえばＤＨＣＰである。
【００５３】
図６は、屋内基地局による変換テーブルの生成動作の一例を示すフローチャートである。まず、アドレス管理部２３が、ＬＡＮ通信部２１を介してＢＢルータ１３から複数のＬＡＮ用アドレスを取得し、取得した複数のＬＡＮ用アドレスをプールしておく（ステップＳ６０１）。つぎに、端末状態管理部２６が、移動端末１５が通信エリア１６に入ったか否かを判断し（ステップＳ６０２）、移動端末１５が通信エリア１６に入るまで待つ（ステップＳ６０２：Ｎｏのループ）。
【００５４】
ステップＳ６０２において、移動端末１５が通信エリア１６に入ると（ステップＳ６０２：Ｙｅｓ）、端末状態管理部２６が、通信装置１８による移動端末１５の位置登録が行われたことを確認する（ステップＳ６０３）。ステップＳ６０３において、端末状態管理部２６は、たとえば通信装置１８からの通知により、移動端末１５の位置登録が行われたことを確認する。ここでは、移動端末１５の通信モードは「通常」になっているとする。
【００５５】
つぎに、移動端末１５の位置登録の結果、通信装置１８によって払い出された移動網用アドレスを、アドレス管理部２３がＬＡＮ通信部２１を介して取得する（ステップＳ６０４）。つぎに、端末状態管理部２６が、ステップＳ６０１によって取得された複数のＬＡＮ用アドレスのうちの一つを移動端末１５に割り当てる（ステップＳ６０５）。
【００５６】
つぎに、アドレス管理部２３が、ステップＳ６０４によって取得した移動網用アドレスと、ステップＳ６０５によって移動端末１５に割り当てたＬＡＮ用アドレスと、の変換テーブル２４ａを生成する（ステップＳ６０６）。ステップＳ６０６において、アドレス管理部２３は、生成した変換テーブル２４ａを記憶部２４に記憶させる。
【００５７】
つぎに、端末状態管理部２６が、移動端末１５に関する状態テーブル２４ｂを生成する（ステップＳ６０７）。具体的には、端末状態管理部２６は、ステップＳ６０５によって移動端末１５に割り当てたＬＡＮ用アドレス４１に対応する有効／無効フラグ４２を「有効」とし、通信モードフラグ４３を「通常」とした状態テーブル２４ｂを記憶部２４に記憶させる。これにより、ＰＣ１７から送信された移動端末１５宛のＩＰパケットを、屋内基地局１４によって移動端末１５へ転送する準備が完了する。
【００５８】
つぎに、端末状態管理部２６が、移動端末１５の通信モードが遷移したか否かを判断する（ステップＳ６０８）。移動端末１５の通信モードが遷移していない場合（ステップＳ６０８：Ｎｏ）は、ステップＳ６１０へ進んで処理を続行する。移動端末１５の通信モードが遷移した場合（ステップＳ６０８：Ｙｅｓ）は、変換テーブル２４ａの通信モードフラグ４３を「通常」から遷移後の通信モードに変更する（ステップＳ６０９）。
【００５９】
つぎに、端末状態管理部２６が、通信エリア１６から移動端末１５が離脱したか否かを判断する（ステップＳ６１０）。通信エリア１６から移動端末１５が離脱していない場合（ステップＳ６１０：Ｎｏ）は、ステップＳ６０８に戻って処理を続行する。通信エリア１６から移動端末１５が離脱した場合（ステップＳ６１０：Ｙｅｓ）は、変換テーブル２４ａの有効／無効フラグ４２を「無効」に設定する（ステップＳ６１１）。
【００６０】
つぎに、アドレス管理部２３が、変換テーブル２４ａに記憶した移動網用アドレスおよびＬＡＮ用アドレスを、移動端末１５のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：加入者識別子）と対応付けて記憶部２４に記憶させ（ステップＳ６１２）、一連の処理を終了する。
【００６１】
図７は、図６に示した生成動作に対応する変換テーブルの一例を示す図である。端末状態管理部２６が通信エリア１６から移動端末１５が離脱した後に移動網用アドレスおよびＬＡＮ用アドレスを記憶しておく場合（図６参照）は、アドレス管理部２３は、図７に示すような変換テーブル２４ａを生成して記憶部２４に記憶させる。
【００６２】
図７に示すように、変換テーブル２４ａにおいては、移動端末１５のＩＭＳＩ７１に対応付けて移動網用アドレス３１およびＬＡＮ用アドレス３２が記憶されている。また、変換テーブル２４ａには、移動網用アドレス３１が有効か否かを示す有効／無効フラグ７２と、ＬＡＮ用アドレス３２が有効か否かを示す有効／無効フラグ７３も記憶されている。
【００６３】
端末状態管理部２６が通信エリア１６から移動端末１５が離脱した後に移動網用アドレスおよびＬＡＮ用アドレスの両方を記憶しておく場合は、アドレス管理部２３は、有効／無効フラグ７２および有効／無効フラグ７３の両方を「有効」に設定する。また、端末状態管理部２６が通信エリア１６から移動端末１５が離脱した後に、任意のタイミングで移動網用アドレスを通信装置１８に払い戻してもよい。この場合は、アドレス管理部２３は、移動網用アドレスを払い戻した後に有効／無効フラグ７２を「無効」に設定する。
【００６４】
端末状態管理部２６が通信エリア１６から移動端末１５が離脱した後、移動端末１５または他の移動端末が通信エリア１６に進入したときに、アドレス管理部２３は、有効／無効フラグ７２が「有効」であれば、通信装置１８から新たな移動網用アドレスを取得する代わりに、変換テーブル２４ａの移動網用アドレス３１を取得する。
【００６５】
端末状態管理部２６が通信エリア１６から移動端末１５が離脱した後、移動端末１５または他の移動端末が通信エリア１６に進入したときに、アドレス管理部２３は、有効／無効フラグ７２が「無効」であれば、通信装置１８から払い出される新たな移動網用アドレスを取得して変換テーブル２４ａを生成する。
【００６６】
図８は、屋内基地局によるパケット転送動作の一例を示すフローチャートである。屋内基地局１４は、図６のステップＳ６０８〜Ｓ６１０をループしている間に以下のパケット転送動作を繰り返し行う。まず、転送部２５が、ＰＣ１７から送信されたＩＰパケットを、ＬＡＮ通信部２１によって受信したか否かを判断し（ステップＳ８０１）、ＩＰパケットを受信するまで待つ（ステップＳ８０１：Ｎｏのループ）。
【００６７】
ステップＳ８０１においてＩＰパケットを受信すると（ステップＳ８０１：Ｙｅｓ）、状態テーブル２４ｂにおいて、受信したＩＰパケットの宛先のＬＡＮ用アドレス４１に対応する有効／無効フラグ４２が「有効」となっているか否かを判断する（ステップＳ８０２）。有効／無効フラグ４２が「無効」となっている場合（ステップＳ８０２：Ｎｏ）は、ステップＳ８０１によって受信したＩＰパケットを破棄（ステップＳ８０３）して一連の動作を終了する。
【００６８】
ステップＳ８０２において、有効／無効フラグ４２が「有効」となっている場合（ステップＳ８０２：Ｙｅｓ）は、状態テーブル２４ｂにおいて、受信したＩＰパケットの宛先のＬＡＮ用アドレス４１に対応する通信モードフラグ４３が「通常」となっているか否かを判断する（ステップＳ８０４）。通信モードフラグ４３が「通常」である場合（ステップＳ８０４：Ｙｅｓ）は、ステップＳ８０７へ進んで処理を続行する。
【００６９】
ステップＳ８０４において、通信モードフラグ４３が「通常」でない（「省電力」または「待ち受け」）場合（ステップＳ８０４：Ｎｏ）は、ステップＳ８０１によって受信したＩＰパケットをバッファ２５ｂに格納し（ステップＳ８０５）、移動端末１５の通信モードを「通常」に遷移させる（ステップＳ８０６）。
【００７０】
つぎに、アドレス変換部２５ａが、ステップＳ８０１によって受信したＩＰパケットの宛先を、変換テーブル２４ａにおいて元のＬＡＮ用アドレス３２と対応付けられている移動網用アドレス３１に変換する（ステップＳ８０７）。つぎに、無線通信部２２が、ステップＳ８０７によって宛先を移動網用アドレス３１に変換したＩＰパケットを移動端末１５へ送信し（ステップＳ８０８）、一連の処理を終了する。
【００７１】
図９は、屋内基地局による変換テーブルの生成動作の他の例を示すフローチャートである。図９に示すステップＳ９０１〜Ｓ９１２については、ステップＳ６０１〜Ｓ６１２（図６参照）とほぼ同じであるため、ステップＳ６０１〜Ｓ６１２と異なる部分のみを説明する。ここでは、移動体通信網１２で用いられる移動網用アドレスがＩＰｖ６であり、移動端末１５が対応する移動網用アドレスがＩＰｖ４である場合について説明する。
【００７２】
ステップＳ９０１においては、アドレス管理部２３が、複数のＩＰｖ４の移動網用アドレスをＬＡＮ１１上のＤＨＣＰから取得するとともに、ＬＡＮ通信部２１を介してＢＢルータ１３から複数のＬＡＮ用アドレスを取得し、取得した複数のＩＰｖ４の移動網用アドレスおよびＬＡＮ用アドレスをプールしておく。
【００７３】
ステップＳ９０５においては、端末状態管理部２６が、ステップＳ９０１によって取得された複数のＩＰｖ４の移動網用アドレスのうちの一つを移動端末１５に割り当てるとともに、ステップＳ９０１によって取得された複数のＬＡＮ用アドレスのうちの一つを移動端末１５に割り当てる。ステップＳ９０６においては、移動端末１５の位置登録の結果、通信装置１８によって払い出されたＩＰｖ６の移動網用アドレスを、アドレス管理部２３がＬＡＮ通信部２１を介して取得する。
【００７４】
ステップＳ９０６においては、アドレス管理部２３が、ステップＳ９０４によって取得したＩＰｖ６の移動網用アドレスと、ステップＳ９０５によって移動端末１５に割り当てたＩＰｖ４の移動網用アドレスと、ステップＳ９０５によって移動端末１５に割り当てたＬＡＮ用アドレスと、の変換テーブル２４ａを生成する。
【００７５】
図１０は、図９に示した生成動作に対応する変換テーブルを示す図である。図１０において、図７に示した部分と同様の部分については同一の符号を付して説明を省略する。図９に示した生成動作のステップＳ９０６によって、たとえば図１０に示す変換テーブル２４ａが生成される。変換テーブル２４ａは記憶部２４に記憶される。
【００７６】
ここでは、変換テーブル２４ａにおいて、ＩＭＳＩ７１、ＩＰｖ６の移動網用アドレス３１、ＬＡＮ用アドレス３２とともに、ＩＰｖ４の移動網用アドレス１０１が対応付けて記憶されている。また、ＩＰｖ４の移動網用アドレス１０１が有効か否かを示す有効／無効フラグ７５も記憶されている。この場合の屋内基地局１４によるパケット転送動作は、図８に示した各ステップとほぼ同じであるため図示を省略する。
【００７７】
この場合は、図８に示したステップＳ８０７において、アドレス変換部２５ａが、ステップＳ８０１によって受信したＩＰパケットの宛先を、変換テーブル２４ａ（図１０参照）において元のＬＡＮ用アドレス３２と対応付けられているＩＰｖ４の移動網用アドレス１０１に変換する。これにより、移動体通信網１２で用いられる移動網用アドレスがＩＰｖ６であり、移動端末１５が対応する移動網用アドレスがＩＰｖ４である場合でも、ＰＣ１７から送信されたＩＰパケットを移動端末１５へ転送することができる。
【００７８】
（機能的配備例１）
図１１は、通信システムの機能的配備例１（その１）を示す図である。図１２は、通信システムの機能的配備例１（その２）を示す図である。図１１および図１２は、ＲＲＣ（Ｒａｄｉｏ  Ｒｅｓｏｕｒｃｅ  Ｃｏｎｔｒｏｌ）終端を通信装置１８で行う場合の、Ｃ−Ｐｌａｎｅ（Ｃｏｎｔｒｏｌ−Ｐｌａｎｅ：制御データ層）とＵ−Ｐｌａｎｅ（Ｕｓｅｒ−Ｐｌａｎｅ：ユーザデータ層）の各プロトコルスタックを示している。
【００７９】
図１１と図１２に示す各機能的配備例１は、Ｕ−Ｐｌａｎｅにおいて通信装置１８がＧＴＰ（ＧＰＲＳ  Ｔｕｎｎｅｌｉｎｇ  Ｐｒｏｔｏｃｏｌ）機能を有するか否かが異なる。図１１に示す機能的配備例１では、通信装置１８がＵ−ＰｌａｎｅにおいてＧＴＰ機能を有し、通信装置１８がＧＴＰを終端する。図１２に示す機能的配備例１では、通信装置１８がＧＴＰ機能を有しておらず、通信装置１８はＧＴＰを終端しない。
【００８０】
Ｌ２は、Ｌａｙｅｒ２プロトコルを示している。ＰＤＣＰはＰａｃｋｅｔ  Ｄａｔａ  Ｃｏｎｔｒｏｌ  Ｐｒｏｔｏｃｏｌを示している。屋内基地局１４は、ＮＢＡＰ（Ｎｏｄｅ  Ｂ  Ａｐｐｌｉｃａｔｉｏｎ  Ｐａｒｔ）、Ｗ−ＣＤＭＡ  ＰＨＹ／ＭＡＣ（Ｍｅｄｉｕｍ  Ａｃｃｅｓｓ  Ｃｏｎｔｒｏｌ）などのｆｅｍｔｏＡＰの機能を備えている。
【００８１】
さらに、屋内基地局１４は、基地局制御装置（ＲＮＣ：Ｒａｄｉｏ  Ｎｅｔｗｏｒｋ  Ｃｏｎｔｒｏｌｌｅｒ）や、それよりも上位側の装置ＳＧＳＮ（Ｓｅｒｖｉｎｇ  ＧＰＲＳ  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）に配備される機能の、少なくとも一部を有している。
【００８２】
つまり、屋内基地局１４でデータを折り返すために、屋内基地局１４は、データ経路に必要な移動体通信網１２としてのプロトコルを終端する機能と、ＰＣ１７からの要求によって移動端末１５を呼び出す機能を有する。ここでは、主に通信装置１８でＲＮＣ、ＳＧＳＮ／ＧＧＳＮ機能を有している。
【００８３】
図１１に示す機能的配備例１においては、移動体通信網１２が提供するパケットサービスを利用するために、移動体通信網１２が提供するＧＴＰトンネルを利用することができる。このため、移動端末１５は、インターネットを経由することなく、ＧＴＰトンネルを利用して移動体通信網１２との通信経路を確保することができる。
【００８４】
図１２に示す機能的配備例１においては、屋内基地局１４でデータを折り返すため、たとえばＧＴＰの終端を屋内基地局１４で行うことで、Ｇｉインターフェイスを提供することができる。Ｇｉインターフェイスとは、３ＧＰＰにおけるＧＧＳＮ（Ｇａｔｅｗａｙ  ＧＰＲＳ  Ｓｅｒｖｉｃｅ  Ｎｏｄｅ：中継パケット交換機）とＰＤＮ（Ｐａｃｋｅｔ  Ｄａｔａ  Ｎｅｔｗｏｒｋ）との接続点である。
【００８５】
これにより、移動端末１５は、移動体通信網１２を経由することなくＰＣ１７とデータ通信を行うことができる。機能的配備例１においては、移動端末１５が移動体通信網１２とデータ通信を行う場合は図１１に示す機能的配備例１に切り替え、移動端末１５がＰＣ１７とデータ通信を行う場合は図１２に示す機能的配備例１に切り替える。これにより、移動端末１５は、移動体通信網１２およびＰＣ１７の両方とデータ通信が可能になる。
【００８６】
また、ＲＲＣが有するページング機能を通信装置１８において終端することで、ＰＣ１７からの要求によって移動端末１５を呼び出すことができる。この場合は、たとえばＰＣ１７からの移動端末１５を宛先とするＩＰパケットを屋内基地局１４で受信した場合に、通信装置１８に対してページングを発行してもらうように要求する。
【００８７】
図１３は、機能的配備例１における屋内基地局の構成を示すブロック図である。図１３において、図２に示した構成と同様の構成については同一の符号を付して説明を省略する。図１３に示すように、ここでは、屋内基地局１４は、図２に示した構成に加えて終端部１３１を備えている。
【００８８】
無線通信部２２は、無線（３ＧＰＰ：ＭＡＣ／ＲＬＣ／ＰＤＣＰなど）に関する処理を実施する。ＬＡＮ通信部２１は、有線（ＩＥＥＥ８０２など）に関する処理を実施する。端末状態管理部２６は、通信装置１８に配備されるＲＲＣから移動端末１５のＲＲＣ状態を取得することで、移動端末１５の状態を管理している。
【００８９】
端末状態管理部２６は、移動端末１５の状態として、Ｃｅｌｌ＿ＤＣＨ（消費電力モード）、Ｃｅｌｌ＿ＨＳＤＳＣＨ（通常モード）、Ｃｅｌｌ＿ＰＣＨ（省電力モード）などを把握している。終端部１３１は、転送部２５を制御して、ＧＴＰなど３ＧＰＰでのパケット伝送に関するプロトコル処理を実施する。終端部１３１は、移動端末１５がＰＣ１７とデータ通信を行う場合は、ＧＴＰを終端することでＧｉインターフェイスを提供する。
【００９０】
転送部２５は、ＬＡＮ通信部２１を介してＩＰパケットを受信すると、受信したＩＰパケットのＬＡＮ用アドレスについて、状態テーブル２４ｂにおいて有効／無効フラグ４２が「有効」となっているか否かを判断する。有効／無効フラグ４２が「有効」となっている場合は、転送部２５は、受信したＩＰパケットのＬＡＮ用アドレスについて、状態テーブル２４ｂにおける通信モードフラグ４３を参照する。
【００９１】
参照した通信モードフラグ４３が「省電力」である場合は、転送部２５は、受信したＩＰパケットをバッファ２５ｂに格納し、端末状態管理部２６に移動端末１５の通信モードを「省電力」から「通常」に遷移させることを要求する。これに対して、端末状態管理部２６は、移動端末１５の通信モードを「通常」に遷移させることを要求する信号を、ＬＡＮ通信部２１を介して通信装置１８へ送信する。
【００９２】
これに対して、通信装置１８は、ＢＢルータ１３および屋内基地局１４を経由して移動端末１５へＲＲＣページングを送信する。移動端末１５は、ＲＲＣページングを受信すると、通信モードを「省電力」から「通常」に遷移させる。通信装置１８は、移動端末１５へＲＲＣページングを送信した後に、移動端末１５の通信モードを「通常」に遷移させたことを示す信号を、ＢＢルータ１３を経由して屋内基地局１４へ送信する。
【００９３】
端末状態管理部２６は、移動端末１５の通信モードを「通常」に遷移させたことを示す信号を、ＬＡＮ通信部２１を介して受信すると、状態テーブル２４ｂの通信モードフラグ４３を「省電力」から「通常」に変更する。また、転送部２５は、移動端末１５の通信モードを「通常」に遷移させたことを示す信号を、ＬＡＮ通信部２１を介して受信すると、バッファ２５ｂに格納していたＩＰパケットの宛先を、変換テーブル２４ａに従ってＬＡＮ用アドレスから移動網用アドレスに変換する。
【００９４】
そして、転送部２５は、宛先を変換したＩＰパケットを、無線通信部２２を介して移動端末１５へ送信する。これにより、ＰＣ１７から送信されたＩＰパケットを移動端末１５へ転送することができる。ここで、移動端末１５からＰＣ１７へＩＰパケットを送信する場合について説明する。この場合は、移動端末１５は、ＰＣ１７に割り当てられたＬＡＮ用アドレスを宛先としてＩＰパケットを送信する。
【００９５】
このとき、ＩＰパケットの送信元は、移動端末１５の移動網用アドレスとなる。転送部２５は、移動端末１５から送信されたＩＰパケットを、無線通信部２２を介して受信する。そして、転送部２５は、受信したＩＰパケットの送信元を、変換テーブル２４ａに従って移動網用アドレスからＬＡＮ用アドレスに変換する。
【００９６】
転送部２５は、送信元を変換したＩＰパケットを、ＬＡＮ通信部２１を介してＰＣ１７へ送信する。これにより、ＰＣ１７が受信するＩＰパケットの送信元が、ＰＣ１７において把握されている移動端末１５のＬＡＮ用アドレスとなる。このため、ＰＣ１７は、移動端末１５から送信されたＩＰパケットを正常に受信することができる。
【００９７】
図１４は、機能的配備例１における通信装置の構成を示すブロック図である。図１４において、図５に示した構成と同様の構成については同一の符号を付して説明を省略する。図１４に示すように、通信装置１８は、位置情報記憶部５３（図５参照）としてＶＬＲ１４１（Ｖｉｓｉｔｏｒ  Ｌｏｃａｔｉｏｎ  Ｒｅｇｉｓｔｅｒ）を備えている。また、通信装置１８は、アドレス払出部５５（図５参照）としてＤＨＣＰ１４２を備えている。
【００９８】
また、パケットサービス管理部５４は、ＰＤＰ  Ｃｏｎｔｅｘｔ管理部１１３を備えている。ＰＤＰ  Ｃｏｎｔｅｘｔ管理部１１３は、パケット関連情報（ＰＤＰ）をアクティブにするためのパケット着信処理を行う。なお、ここではＶＬＲ１４１およびＤＨＣＰ１４２が通信装置１８に設けられている構成について説明したが、ＶＬＲ１４１およびＤＨＣＰ１４２は通信装置１８の外部に設けられていてもよい。
【００９９】
図１５は、機能的配備例１における通信システムの位置登録動作の一例を示すシーケンス図である。ここでは、ＶＬＲ１４１は通信装置１８の外部に設けられている。まず、移動端末１５が通信エリア１６へ進入すると（ステップＳ１５１）、移動端末１５が、屋内基地局１４を経由して通信装置１８へ位置登録要求を送信する（ステップＳ１５２）。
【０１００】
つぎに、通信装置１８の位置登録処理部５２が、移動端末１５の位置登録を行い、移動端末１５が通信エリア１６内にいることを示す位置登録情報をＶＬＲ１４１へ送信する（ステップＳ１５３）。ＶＬＲ１４１は、位置登録処理部５２からの位置登録情報を記憶する。また、位置登録処理部５２は、位置登録情報を屋内基地局１４へも送信する（ステップＳ１５４）。屋内基地局１４の端末状態管理部２６は、位置登録処理部５２からの位置登録情報に基づいて移動端末１５が通信エリア１６内にいることを把握する。
【０１０１】
また、位置登録処理部５２は、位置登録が完了すると、登録完了通知をパケットサービス管理部５４へ出力する（ステップＳ１５５）。つぎに、パケットサービス管理部５４が、移動網用アドレスの払出を要求する払出要求をＤＨＣＰ１４２へ出力する（ステップＳ１５６）。つぎに、ＤＨＣＰ１４２が、移動端末１５に割り当てるための移動網用アドレスをパケットサービス管理部５４へ出力する（ステップＳ１５７）。
【０１０２】
つぎに、パケットサービス管理部５４が、ステップＳ１５７によって出力された移動網用アドレスを、屋内基地局１４を経由して移動端末１５へ送信する（ステップＳ１５８）。また、パケットサービス管理部５４は、ステップＳ１５７によって出力された移動網用アドレスを屋内基地局１４へも送信し（ステップＳ１５９）、一連の処理を終了する。
【０１０３】
図１６は、機能的配備例１における通信システムの位置登録解除動作を示すシーケンス図である。ここでは、ＶＬＲ１４１は通信装置１８の外部に設けられている。まず、移動端末１５が通信エリア１６から離脱すると（ステップＳ１６１）、移動体通信網１２内のＨＬＲ１６０（Ｈｏｍｅ  Ｌｏｃａｔｉｏｎ  Ｒｅｇｉｓｔｅｒ）が、通信装置１８へ加入者情報削除要求を送信する（ステップＳ１６２）。
【０１０４】
加入者情報削除要求は、移動端末１５の位置登録情報を削除することを要求する信号である。つぎに、通信装置１８のパケットサービス管理部５４が、ＶＬＲ１４１へ加入者情報削除要求を送信する（ステップＳ１６３）。これにより、ＶＬＲ１４１は、記憶していた移動端末１５の位置登録情報を削除する。また、パケットサービス管理部５４は、屋内基地局１４へリソース解放要求を送信する（ステップＳ１６４）。
【０１０５】
リソース解放要求は、移動端末１５に関する処理に割り当てたリソースを解放することを要求する信号である。つぎに、屋内基地局１４の端末状態管理部２６が、移動端末１５に関する処理に割り当てたリソースを解放し（ステップＳ１６５）、一連の処理を終了する。ここで、端末状態管理部２６は、リソースを解放しても、移動端末１５に割り当てた移動網用アドレスやＬＡＮ用アドレスは記憶部２４に記憶したままにしてもよい。
【０１０６】
図１７は、機能的配備例１における３ＧＰＰ  Ｃｏｎｔｅｘｔの生成動作を示すシーケンス図である。図１７においては、機能的配備例１を３ＧＰＰにおけるＰＤＰ  Ｃｏｎｔｅｘｔ（Ｐａｃｋｅｔ  Ｄａｔａ  Ｐｒｏｔｏｃｏｌ  Ｃｏｎｔｅｘｔ）の生成シーケンス（３ＧＰＰ  ＴＳ２３．０６０を参照）に適用した場合について説明する。
【０１０７】
機能的配備例１においては、通信装置１８から移動端末１５へ移動網用アドレスを通知するメッセージを終端するプロトコルが屋内基地局１４に配備されない。このため、屋内基地局１４は、ＰＤＰ  Ｃｏｎｔｅｘｔをチェックし移動網用アドレス部分を修正する機能を備える。まず、移動端末１５、屋内基地局１４および通信装置１８が、位置登録およびパケット着信処理を行う（ステップＳ１７１）。
【０１０８】
つぎに、移動端末１５が、接続要求メッセージ（Ａｃｔｉｖａｔｅ  ＰＤＰ  Ｃｏｎｔｅｘｔ  Ｒｅｑｕｅｓｔ）を通信装置１８へ送信する（ステップＳ１７２）。つぎに、通信装置１８が、ＩＰｖ６の移動網用アドレス（Ａｄｄｒｅｓｓ  Ａ）を持つＰＤＰ  Ｃｏｎｔｅｘｔを生成する（ステップＳ１７３）。
【０１０９】
つぎに、移動端末１５、屋内基地局１４および通信装置１８が互いに通信経路を確立（Ｒａｄｉｏ  Ａｃｃｅｓｓ  Ｂｅａｒｅｒ  Ｓｅｔｕｐ）する（ステップＳ１７４）。つぎに、通信装置１８が、ステップＳ１７３によって生成されたＰＤＰ  Ｃｏｎｔｅｘｔを接続許可メッセージ（Ａｃｔｉｖａｔｅ  ＰＤＰ  Ｃｏｎｔｅｘｔ  Ａｃｃｅｐｔ）として屋内基地局１４へ送信する（ステップＳ１７５）。
【０１１０】
つぎに、屋内基地局１４が、ステップＳ１７５によって送信された接続許可メッセージをチェックし、接続許可メッセージに格納されているＩＰｖ６の移動網用アドレス（Ａｄｄｒｅｓｓ  Ａ）と、あらかじめプールしておいたＩＰｖ４の移動網用アドレス（Ａｄｄｒｅｓｓ  Ａ）と、の変換テーブル２４ａを作成する（ステップＳ１７６）。
【０１１１】
つぎに、屋内基地局１４が、ステップＳ１７６によって変換テーブル２４ａを作成したＩＰｖ４の移動網用アドレス（Ａｄｄｒｅｓｓ  Ａ）を接続許可メッセージ（Ａｃｔｉｖａｔｅ  ＰＤＰ  Ｃｏｎｔｅｘｔ  Ａｃｃｅｐｔ）によって移動端末１５へ送信する（ステップＳ１７７）。つぎに、移動端末１５が、ステップＳ１７７によって送信された接続許可メッセージに格納されているＩＰｖ４の移動網用アドレス（Ａｄｄｒｅｓｓ  Ａ）を自装置のアドレスとして設定し（ステップＳ１７８）、一連の処理を終了する。
【０１１２】
（機能的配備例２）
図１８は、通信システムの機能的配備例２（その１）を示す図である。図１９は、通信システムの機能的配備例２（その２）を示す図である。図１８において、図１１に示した部分と同様の部分については説明を省略する。図１９において、図１２に示した部分と同様の部分については説明を省略する。図１８および図１９は、ＮＡＳ（Ｎｏｎ  Ａｃｃｅｓｓ  Ｓｔｒａｔｕｍ）終端を通信装置１８で行う場合の、Ｃ−ＰｌａｎｅとＵ−Ｐｌａｎｅの各プロトコルスタックを示している。
【０１１３】
図１８と図１９に示す各機能的配備例２は、Ｕ−Ｐｌａｎｅにおいて通信装置１８がＧＴＰ機能を有するか否かが異なる。図１８に示す機能的配備例２では、通信装置１８がＵ−ＰｌａｎｅにおいてＧＴＰ機能を有し、通信装置１８がＧＴＰを終端する。図１９に示す機能的配備例２では、通信装置１８がＧＴＰ機能を有しておらず、通信装置１８はＧＴＰを終端しない。ここでは、主に通信装置１８がＳＧＳＮ／ＧＧＳＮ機能を有する。
【０１１４】
屋内基地局１４および通信装置１８のＲＡＮＡＰはＲａｄｉｏ  Ａｃｃｅｓｓ  Ｎｅｔｗｏｒｋ  Ａｐｐｌｉｃａｔｉｏｎ  Ｐａｒｔ（無線アクセスネットワークアプリケーション部）を示している。機能的配備例２においては、移動端末１５が移動体通信網１２とデータ通信を行う場合は図１８に示す機能的配備例２に切り替え、移動端末１５がＰＣ１７とデータ通信を行う場合は図１９に示す機能的配備例２に切り替える。これにより、移動端末１５は、移動体通信網１２およびＰＣ１７の両方とデータ通信が可能になる。
【０１１５】
図２０は、機能的配備例２における屋内基地局の構成を示すブロック図である。図２０において、図１３に示した構成と同様の構成については同一の符号を付して説明を省略する。屋内基地局１４の端末状態管理部２６は、３ＧＰＰのＲＲＣプロトコルの機能を備えている。これにより、端末状態管理部２６は、移動端末１５のＲＲＣ状態を取得し、移動端末１５の状態を管理することができる。
【０１１６】
端末状態管理部２６は、移動端末１５の通信モードを「省電力」から「通常」に遷移させることを転送部２５から要求されると、ＲＲＣプロトコルにより移動端末１５の通信モードを「省電力」から「通常」に遷移させる。このように、端末状態管理部２６は、通信装置１８に要求することで移動端末１５の通信モードを遷移させるのではなく、自ら有するＲＲＣプロトコルの機能によって移動端末１５の通信モードを遷移させる。
【０１１７】
図２１は、機能的配備例２における通信システムの位置登録動作の一例を示すシーケンス図である。図２１において、ステップＳ２１１〜Ｓ２１７は、それぞれステップＳ１５１〜Ｓ１５７（図１５参照）と同様であるため説明を省略する。ＤＨＣＰ１１２が移動網用アドレスをパケットサービス管理部５４へ出力すると（ステップＳ２１７）、パケットサービス管理部５４が、ステップＳ２１７によって出力された移動網用アドレスを屋内基地局１４へ送信する（ステップＳ２１８）。
【０１１８】
つぎに、屋内基地局１４が、ステップＳ２１８によってパケットサービス管理部５４から送信された移動網用アドレスを移動端末１５へ送信し（ステップＳ２１９）、一連の処理を終了する。ステップＳ２１８における移動網用アドレスの送信は、パケットサービス管理部５４が備えるＲＲＣ機能によるページングを送信することによって行われる。
【０１１９】
図２２は、機能的配備例２における３ＧＰＰ  Ｃｏｎｔｅｘｔの生成動作を示すシーケンス図である。図２２に示すステップＳ２２１，Ｓ２２３〜Ｓ２２８は、図１７に示したステップＳ１７１，Ｓ１７３〜Ｓ１７８と同様であるため説明を省略する。機能的配備例２においては、ステップＳ２２２で、屋内基地局１４は、移動端末１５から送信された接続要求メッセージを終端し、終端した接続要求メッセージを通信装置１８へ送信する。
【０１２０】
図２３は、機能的配備例２におけるパケット転送動作の一例を示すシーケンス図である。まず、屋内基地局１４は、ＢＢルータ１３からＬＡＮ用アドレスを取得して移動端末１５に割り当てておく（ステップＳ２３０１）。そして、移動端末１５が通信エリア１６へ進入すると、上述した位置登録、移動網用アドレスを含むＰＤＰ  Ｃｏｎｔｅｘｔ生成、変換テーブル２４ａの生成を行う（ステップＳ２３０２）。
【０１２１】
この後、移動端末１５の通信モードが「省電力」に遷移（Ｃｅｌｌ＿ＤＣＨ→Ｃｅｌｌ＿ＰＣＨ）したとする（ステップＳ２３０３）。点線枠２３１は、ステップＳ２３０３の後に、ＰＣ１７からのＩＰパケットが移動端末１５へ送信される場合（ＬＡＮトラフィックの場合）のパケット転送動作を示している。
【０１２２】
点線枠２３１において、まず、ＰＣ１７から送信されたＩＰパケットが、ＢＢルータ１３を経由して屋内基地局１４へ送信される（ステップＳ２３０４）。ステップＳ２３０４において送信されるＩＰパケットの宛先は、ステップＳ２３０１によって移動端末１５に割り当てられたＬＡＮ用アドレスである。
【０１２３】
つぎに、屋内基地局１４が、移動端末１５宛（ＵＥ向け）のＩＰパケットを受信したことを検出する（ステップＳ２３０５）。そして、屋内基地局１４は、ＩＰパケットの宛先となっているＬＡＮ用アドレスが有効となっていることを有効／無効フラグ４２により確認（ＩＰアドレス有効確認）する。また、屋内基地局１４は、通信モードフラグ４３によって、ＩＰパケットの宛先となっているＬＡＮ用アドレスが割り当てられた移動端末１５の通信モードを確認（移動体の状態確認）する。
【０１２４】
ここでは、移動端末１５の通信モードは「省電力」（Ｃｅｌｌ＿ＰＣＨ）になっている。つぎに、屋内基地局１４が、移動端末１５に対するページングを行い、移動端末１５の通信モードを「省電力」から「通常」に遷移（Ｃｅｌｌ＿ＰＣＨ→Ｃｅｌｌ＿ＨＳＤＳＣＨ）させる（ステップＳ２３０６）。
【０１２５】
つぎに、屋内基地局１４が、変換テーブル２４ａを用いて、ＩＰパケットの宛先をＬＡＮ用アドレスから移動網用アドレスに変換する（ステップＳ２３０７）。つぎに、屋内基地局１４が、ステップＳ２３０７によってアドレス変換されたＩＰパケットを移動端末１５へ送信する（ステップＳ２３０８）。なお、ステップＳ２３０５において、移動端末１５の通信モードが「通常」となっていた場合はステップＳ２３０６を省略する。
【０１２６】
点線枠２３２は、ステップＳ２３０３の後に、移動体通信網１２からのＩＰパケットが移動端末１５へ送信される場合（移動体通信網トラフィックの場合）のパケット転送動作を示している。点線枠２３２において、まず、移動体通信網１２から送信されたＩＰパケットがＢＢルータ１３を経由して屋内基地局１４へ送信される（ステップＳ２３０９）。
【０１２７】
ステップＳ２３０９において送信されるＩＰパケットの宛先は、ステップＳ２３０２によって移動端末１５に割り当てられた移動網用アドレスである。つぎに、屋内基地局１４が、移動端末１５宛（ＵＥ向け）のＩＰパケットを受信したことを検出する（ステップＳ２３１０）。そして、屋内基地局１４は、有効／無効フラグ７２（図７参照）によって、ＩＰパケットの宛先となっている移動網用アドレスが有効となっていることを確認する（ＩＰアドレス有効確認）。
【０１２８】
また、屋内基地局１４は、ＩＰパケットの宛先となっている移動網用アドレスが割り当てられた移動端末１５の通信モードを通信モードフラグ４３により確認する（移動体の状態確認）。ここでは移動端末１５の通信モードは「省電力」になっている。つぎに、屋内基地局１４が、移動端末１５に対するページングを行い、移動端末１５の通信モードを「省電力」から「通常」に遷移（Ｃｅｌｌ＿ＰＣＨ→Ｃｅｌｌ＿ＨＳＤＳＣＨ）させる（ステップＳ２３１１）。
【０１２９】
つぎに、屋内基地局１４が、ステップＳ２３１０によって検出されたＩＰパケットを移動端末１５へ送信する（ステップＳ２３１２）。なお、ステップＳ２３１０において、移動端末１５の通信モードが「通常」であった場合はステップＳ２３１１を省略する。
【０１３０】
図２４は、機能的配備例２におけるパケット転送動作の他の例を示すシーケンス図である。まず、移動端末１５が通信エリア１６へ進入すると、上述した位置登録、移動網用アドレスを含むＰＤＰ  Ｃｏｎｔｅｘｔ生成を行う（ステップＳ２４０１）。つぎに、移動端末１５が、ステップＳ２４０１によって割り当てられた移動網用アドレスを自装置のアドレスとして設定する（ステップＳ２４０２）。
【０１３１】
つぎに、移動体通信網１２上のｘＧＳＮ２４０（ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ：パケット処理ノード）が、ステップＳ２４０１によって割り当てられた移動網用アドレスを取得する（ステップＳ２４０３）。この後、移動端末１５の通信モードが「待ち受け」に遷移（Ｃｅｌｌ＿ＤＣＨ→ｉｄｌｅ）したとする（ステップＳ２４０４）。
【０１３２】
つぎに、屋内基地局１４が、ＢＢルータ１３からＬＡＮ用アドレスを取得して移動端末１５に割り当てる（ステップＳ２４０５）。つぎに、屋内基地局１４が、ステップＳ２４０１によって取得した移動網用アドレスと、ステップＳ２４０５によって取得したＬＡＮ用アドレスと、の変換テーブル２４ａを生成する（ステップＳ２４０６）。
【０１３３】
点線枠２４１は、ステップＳ２４０６の後に、ＰＣ１７からのＩＰパケットが移動端末１５へ送信される場合（ＬＡＮトラフィックの場合）のパケット転送動作を示している。点線枠２４１において、まず、ＰＣ１７から送信されたＩＰパケットが、ＢＢルータ１３を経由して屋内基地局１４へ送信される（ステップＳ２４０７）。ステップＳ２４０７において送信されるＩＰパケットの宛先は、ステップＳ２４０５によって移動端末１５に割り当てられたＬＡＮ用アドレスである。
【０１３４】
つぎに、屋内基地局１４が、移動端末１５宛（ＵＥ向け）のＩＰパケットを受信したことを検出する（ステップＳ２４０８）。ここでは、屋内基地局１４は、ＬＡＮ用アドレスの有効／無効フラグ４２の確認および移動端末１５の通信モードの確認を行わない。つぎに、屋内基地局１４が、移動端末１５に対するページング（Ｐａｇｉｎｇ）を行い、移動端末１５の通信モードを「待ち受け」から「通常」に遷移（ｉｄｌｅ→Ｃｅｌｌ＿ＨＳＤＳＣＨ）させる（ステップＳ２４０９）。
【０１３５】
つぎに、屋内基地局１４が、変換テーブル２４ａを用いて、ＩＰパケットの宛先をＬＡＮ用アドレスから移動網用アドレスに変換する（ステップＳ２４１０）。つぎに、屋内基地局１４が、ステップＳ２４０７によってアドレス変換されたＩＰパケットを移動端末１５へ送信する（ステップＳ２４１１）。
【０１３６】
点線枠２４２は、ステップＳ２４０６の後に、ｘＧＳＮ２４０からのＩＰパケットが移動端末１５へ送信される場合（移動体通信網トラフィックの場合）のパケット転送動作を示している。点線枠２４２において、まず、ｘＧＳＮ２４０から送信されたＩＰパケットがＢＢルータ１３を経由して屋内基地局１４へ送信される（ステップＳ２４１２）。
【０１３７】
ステップＳ２４１２において送信されるＩＰパケットの宛先は、ステップＳ２４０１によって移動端末１５に割り当てられた移動網用アドレスである。ここでは、屋内基地局１４は、ＩＰパケットの受信の検出、ＬＡＮ用アドレスの有効／無効フラグ４２の確認および移動端末１５の通信モードの確認を行わない。
【０１３８】
つぎに、屋内基地局１４が、移動端末１５に対するページング（Ｐａｇｉｎｇ）を行い、移動端末１５の通信モードを「待ち受け」から「通常」に遷移（ｉｄｌｅ→Ｃｅｌｌ＿ＨＳＤＳＣＨ）させる（ステップＳ２４１３）。つぎに、屋内基地局１４が、ステップＳ２４１２によって送信されたＩＰパケットを移動端末１５へ転送する（ステップＳ２４１４）。
【０１３９】
（機能的配備例３）
図２５は、通信システムの機能的配備例３（その１）を示す図である。図２６は、通信システムの機能的配備例３（その２）を示す図である。図２５において、図１１に示した部分と同様の部分については説明を省略する。図２６において、図１２に示した部分と同様の部分については説明を省略する。図２５および図２６は、ＮＡＳ終端を屋内基地局１４で行う場合のＣ−ＰｌａｎｅとＵ−Ｐｌａｎｅの各プロトコルスタックを示している。
【０１４０】
図２５と図２６に示す各機能的配備例３は、Ｕ−Ｐｌａｎｅにおいて通信装置１８がＧＴＰ機能を有するか否かが異なる。図２５に示す機能的配備例３では、通信装置１８がＵ−ＰｌａｎｅにおいてＧＴＰ機能を有し、通信装置１８がＧＴＰを終端する。図２６に示す機能的配備例３では、通信装置１８がＧＴＰ機能を有しておらず、通信装置１８はＧＴＰを終端しない。ここでは、通信装置１８ではプロトコル終端を行わない。
【０１４１】
通信システム１０においては、移動体通信網１２の移動網用アドレスの管理をネットワーク側で行うことを想定しているため、通信装置１８が移動網用アドレスを管理することになる。この場合は、通信装置１８は、ＳＧＳＮ機能を具備していなくても、ＳＧＳＮ機能に準ずる機能を有し、屋内基地局１４へ移動網用アドレスを払い出せるようにする。また、通信装置１８が位置登録に関する機能を有する場合もある（図の点線）。
【０１４２】
図２７は、機能的配備例３における屋内基地局の構成を示すブロック図である。図２７において、図２０に示した構成と同様の構成については同一の符号を付して説明を省略する。図２７に示すように、機能的配備例３では、ＮＡＳを屋内基地局１４で終端する。なお、機能的配備例３における通信システム１０の位置登録動作は、図２１に示した位置登録動作と同様であるため説明を省略する。
【０１４３】
図２８は、機能的配備例３における通信システムの位置登録動作の一例を示すシーケンス図である。図２８においては、機能的配備例３を３ＧＰＰにおけるＰＤＰ  Ｃｏｎｔｅｘｔの生成シーケンス（３ＧＰＰ  ＴＳ２３．０６０を参照）に適用した場合について説明する。移動端末１５から要求されるＰＤＰ  Ｃｏｎｔｅｘｔ生成に関するメッセージは、屋内基地局１４でチェックされる。
【０１４４】
機能的配備例３においては、通信装置１８から移動端末１５へ移動網用アドレスを通知するメッセージを終端するプロトコルが通信装置１８に配備されるため、通信装置１８が、ＰＤＰ  Ｃｏｎｔｅｘｔをチェックして移動網用アドレス部分を修正する。まず、移動端末１５と屋内基地局１４がパケット着信処理を行う（ステップＳ２８１）。
【０１４５】
つぎに、移動端末１５が、接続要求メッセージ（Ａｃｔｉｖａｔｅ  ＰＤＰ  Ｃｏｎｔｅｘｔ  Ｒｅｑｕｅｓｔ）を屋内基地局１４へ送信する（ステップＳ２８２）。つぎに、屋内基地局１４が、Ｃｒｅａｔｅ  ＰＤＰ  Ｃｏｎｔｅｘｔ  Ｒｅｑｕｅｓｔを通信装置１８へ送信する（ステップＳ２８３）。
【０１４６】
つぎに、通信装置１８が、ＩＰｖ６の移動網用アドレス（Ａｄｄｒｅｓｓ  Ａ）を持つＰＤＰ  Ｃｏｎｔｅｘｔを生成する（ステップＳ２８４）。つぎに、通信装置１８が、ステップＳ２８４により生成されたＰＤＰ  ＣｏｎｔｅｘｔをＣｒｅａｔｅ  ＰＤＰ  Ｃｏｎｔｅｘｔ  Ｒｅｓｐｏｎｓｅとして屋内基地局１４へ送信する（ステップＳ２８５）。
【０１４７】
つぎに、屋内基地局１４が、ステップＳ２８５によって送信されたＣｒｅａｔｅ  ＰＤＰ  Ｃｏｎｔｅｘｔ  Ｒｅｓｐｏｎｓｅに格納されているＩＰｖ６の移動網用アドレス（Ａｄｄｒｅｓｓ  Ａ）と、ＩＰｖ４の移動網用アドレス（Ａｄｄｒｅｓｓ  Ａ）と、の変換テーブル２４ａを作成する（ステップＳ２８６）。
【０１４８】
つぎに、移動端末１５および屋内基地局１４が互いに通信経路が確立（Ｒａｄｉｏ  Ａｃｃｅｓｓ  Ｂｅａｒｅｒ  Ｓｅｔｕｐ）する（ステップＳ２８７）。つぎに、屋内基地局１４が、ステップＳ２８６によって変換テーブル２４ａを作成したＩＰｖ４の移動網用アドレス（Ａｄｄｒｅｓｓ  Ａ）を接続許可メッセージ（Ａｃｔｉｖａｔｅ  ＰＤＰ  Ｃｏｎｔｅｘｔ  Ａｃｃｅｐｔ）によって移動端末１５へ送信する（ステップＳ２８８）。
【０１４９】
つぎに、移動端末１５が、ステップＳ２８７によって送信された接続許可メッセージに格納されているＩＰｖ４の移動網用アドレス（Ａｄｄｒｅｓｓ  Ａ）を自装置のアドレスとして設定し（ステップＳ２８９）、一連の処理を終了する。これにより、移動体通信網１２で用いられる移動網用アドレスがＩＰｖ６であり、移動端末１５が対応する移動網用アドレスがＩＰｖ４である場合でも、ＰＣ１７や移動体通信網１２から送信されたＩＰパケットを移動端末１５へ転送することができる。
【０１５０】
以上説明したように、開示の基地局およびデータ転送方法によれば、移動端末に機能を追加することなく、構内網（ＬＡＮ１１）内で通信端末（ＰＣ１７）から移動端末１５へパケット（ＩＰパケット）を高速に送信することができる。
【０１５１】
なお、上述した各実施の形態においては、ＬＡＮ１１内の通信端末としてＰＣ１７を例示して説明したが、ＬＡＮ１１内の通信端末はＰＣ１７に限らず、通信機能を備える家電機器など、フェムトセル方式の通信機能を備える電算機器であればなんでもよい。上述した実施の形態に関し、さらに以下の付記を開示する。
【０１５２】
（付記１）自装置を含む構内網を介して移動体通信網と通信可能な通信エリアを形成する基地局において、
前記構内網内の通信端末とデータ通信を行うために前記構内網から前記通信エリア内の移動端末に割り当てられる構内網用アドレスを取得する第１取得手段と、
前記移動体通信網とデータ通信を行うために前記移動体通信網から前記移動端末に割り当てられる移動網用アドレスを取得する第２取得手段と、
前記第１取得手段によって取得された構内網用アドレスと、前記第２取得手段によって取得された移動網用アドレスと、を対応付けて記憶する記憶手段と、
前記通信端末から前記構内網用アドレスを宛先とするデータを受信する受信手段と、
前記受信手段によって受信されたデータの宛先を、前記記憶手段において前記構内網用アドレスと対応付けて記憶された移動網用アドレスに変換する変換手段と、
前記変換手段によって宛先が変換されたデータを前記移動端末へ送信する送信手段と、
を備えることを特徴とする基地局。
【０１５３】
（付記２）前記受信手段によって前記データが受信された場合に、前記移動端末の通信モードをデータ受信可能な通信モードに遷移させる管理手段を備え、
前記送信手段は、前記管理手段によって通信モードが遷移した前記移動端末へデータを送信することを特徴とする付記１に記載の基地局。
【０１５４】
（付記３）前記第２取得手段は、前記移動体通信網において前記移動端末の位置登録が行われたときに前記移動網用アドレスを取得することを特徴とする付記１または２に記載の基地局。
【０１５５】
（付記４）前記記憶手段は、前記移動端末が前記通信エリアから離脱するまで、前記構内網用アドレスおよび前記移動網用アドレスを記憶していることを特徴とする付記１〜３のいずれか一つに記載の基地局。
【０１５６】
（付記５）前記移動端末が前記通信エリアから離脱した場合に、前記移動端末に割り当てられていた前記移動網用アドレスを前記移動体通信網へ払い戻すアドレス管理手段を備えることを特徴とする付記１〜４のいずれか一つに記載の基地局。
【０１５７】
（付記６）自装置を含む構内網を介して移動体通信網と通信可能な通信エリアを形成する基地局によるデータ転送方法において、
前記構内網内の通信端末とデータ通信を行うために前記構内網から前記通信エリア内の移動端末に割り当てられる構内網用アドレスを取得する第１取得工程と、
前記移動体通信網とデータ通信を行うために前記移動体通信網から前記移動端末に割り当てられる移動網用アドレスを取得する第２取得工程と、
前記第１取得工程によって取得された構内網用アドレスと、前記第２取得工程によって取得された移動網用アドレスと、を対応付けて記憶する記憶工程と、
前記通信端末から前記構内網用アドレスを宛先とするデータを受信する受信工程と、
前記受信工程によって受信されたデータの宛先を、前記記憶工程において前記構内網用アドレスと対応付けて記憶された移動網用アドレスに変換する変換工程と、
前記変換工程によって宛先が変換されたデータを前記移動端末へ送信する送信工程と、
を含むことを特徴とするデータ転送方法。
【図面の簡単な説明】
【０１５８】
【図１】実施の形態にかかる通信システムの概要を示すブロック図である。
【図２】図１に示した屋内基地局の構成例を示すブロック図である。
【図３】図２に示した変換テーブルの一例を示す図である。
【図４】図２に示した状態テーブルを示す図である。
【図５】図１に示した通信装置の構成例を示すブロック図である。
【図６】屋内基地局による変換テーブルの生成動作の一例を示すフローチャートである。
【図７】図６に示した生成動作に対応する変換テーブルの一例を示す図である。
【図８】屋内基地局によるパケット転送動作の一例を示すフローチャートである。
【図９】屋内基地局による変換テーブルの生成動作の他の例を示すフローチャートである。
【図１０】図９に示した生成動作に対応する変換テーブルを示す図である。
【図１１】通信システムの機能的配備例１（その１）を示す図である。
【図１２】通信システムの機能的配備例１（その２）を示す図である。
【図１３】機能的配備例１における屋内基地局の構成を示すブロック図である。
【図１４】機能的配備例１における通信装置の構成を示すブロック図である。
【図１５】機能的配備例１における通信システムの位置登録動作の一例を示すシーケンス図である。
【図１６】機能的配備例１における通信システムの位置登録解除動作を示すシーケンス図である。
【図１７】機能的配備例１における３ＧＰＰ  Ｃｏｎｔｅｘｔの生成動作を示すシーケンス図である。
【図１８】通信システムの機能的配備例２（その１）を示す図である。
【図１９】通信システムの機能的配備例２（その２）を示す図である。
【図２０】機能的配備例２における屋内基地局の構成を示すブロック図である。
【図２１】機能的配備例２における通信システムの位置登録動作の一例を示すシーケンス図である。
【図２２】機能的配備例２における３ＧＰＰ  Ｃｏｎｔｅｘｔの生成動作を示すシーケンス図である。
【図２３】機能的配備例２におけるパケット転送動作の一例を示すシーケンス図である。
【図２４】機能的配備例２におけるパケット転送動作の他の例を示すシーケンス図である。
【図２５】通信システムの機能的配備例３（その１）を示す図である。
【図２６】通信システムの機能的配備例３（その２）を示す図である。
【図２７】機能的配備例３における屋内基地局の構成を示すブロック図である。
【図２８】機能的配備例３における通信システムの位置登録動作の一例を示すシーケンス図である。
【符号の説明】
【０１５９】
１０  通信システム
２４ａ  変換テーブル
２４ｂ  状態テーブル
２６  端末状態管理部
３１，１０１  移動網用アドレス
３２，４１  ＬＡＮ用アドレス
４２，７２，７３  有効／無効フラグ
４３  通信モードフラグ
【図１】
2010016676.tif 000003
【図２】
2010016676.tif 000004
【図３】
2010016676.tif 000005
【図４】
2010016676.tif 000006
【図５】
2010016676.tif 000007
【図６】
2010016676.tif 000008
【図７】
2010016676.tif 000009
【図８】
2010016676.tif 000010
【図９】
2010016676.tif 000011
【図１０】
2010016676.tif 000012
【図１１】
2010016676.tif 000013
【図１２】
2010016676.tif 000014
【図１３】
2010016676.tif 000015
【図１４】
2010016676.tif 000016
【図１５】
2010016676.tif 000017
【図１６】
2010016676.tif 000018
【図１７】
2010016676.tif 000019
【図１８】
2010016676.tif 000020
【図１９】
2010016676.tif 000021
【図２０】
2010016676.tif 000022
【図２１】
2010016676.tif 000023
【図２２】
2010016676.tif 000024
【図２３】
2010016676.tif 000025
【図２４】
2010016676.tif 000026
【図２５】
2010016676.tif 000027
【図２６】
2010016676.tif 000028
【図２７】
2010016676.tif 000029
【図２８】
2010016676.tif 000030